【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
脳アナライザーおよび認知アナライザーの少なくとも１つを含むアナライザーシステムであって、前記アナライザーシステムは、個人の状態の少なくとも１つの特性を測定して測定された特性を得るように操作可能であり、前記測定された特性は、少なくとも１つの脳領域および少なくとも１つの認知的特徴の少なくとも１つと関連しており、ここで、前記アナライザーシステムは、個人の健康グループもしくは疾患グループの前記少なくとも１つの脳領域または少なくとも１つの認知的特徴からの基準値の算出も行い、前記アナライザーシステムは、前記測定された特性を前記基準値と比較して結果値を提供する、アナライザーシステムと；
前記アナライザーシステムとインターフェイス接続された刺激装置システムであって、脳刺激装置モジュール、ならびに脳刺激装置および認知刺激装置の少なくとも１つを含み、ここで、前記脳刺激装置は、興奮性または阻害性刺激エネルギーを放出することによって少なくとも１つの脳領域における単一もしくは複数の脳部位を選択的に刺激するように操作可能である少なくとも１つの非侵襲的脳刺激装置を含み、前記刺激装置モジュールは、前記結果値に基づいて、前記刺激エネルギーが少なくとも１つの脳領域における単一もしくは複数の脳部位へ指向されるように前記刺激装置を配置するように操作可能であり、ここで、前記脳領域は、左前頭前部領域、前頭葉、帯状回、脳半球、側頭葉、前頭葉、頭頂葉、後頭葉、扁桃体領域、小脳、海馬、アンスレオナル（ａｎｔｈｒｅｏｎａｌ）、ピーボディ（Ｐｅａｂｏｄｙ）、斑（ｐｌａｑｕｅｓ）、もつれ（ｔａｎｇｌｅｓ）、脳幹、髄質（ｍｅｄｕｌａ）、脳梁（ｃｏｒｐｕｓ  ｃｏｌｌａｓｕｍ）、皮質下領、皮質、回、白質、および灰白質の範囲内である、刺激装置システムと、
を含み、
前記認知刺激装置は、前記結果値に基づいて、少なくとも１つの認知刺激を提供して前記脳領域と関連付けられる少なくとも１つの認知的特徴を改変するように構成される、
神経医療装置。
【請求項２】
脳アナライザーおよび認知アナライザーの少なくとも１つを含むアナライザーシステムであって、少なくとも１つの脳領域および少なくとも１つの認知的特徴の少なくとも１つと関連する測定された特性を得るように操作可能であり、個人の健康グループもしくは疾患グループの前記少なくとも１つの脳領域または少なくとも１つの認知的特徴からの基準値の算出を行い、結果比較値を提供する、アナライザーシステムと；
前記アナライザーシステムとインターフェイス接続され、興奮性または阻害性刺激エネルギーを放出することによって少なくとも１つの脳領域における単一もしくは複数の脳部位を、少なくとも非侵襲的に、選択的に刺激するように操作可能である刺激装置システムであって、前記刺激装置システムは、刺激エネルギーを放出するためであり、前記結果値に基づいて、左前頭前部領域、前頭葉、帯状回、脳半球、側頭葉、前頭葉、頭頂葉、後頭葉、扁桃体領域、小脳、海馬、アンスレオナル、ピーボディ、斑、もつれ、脳幹、髄質、脳梁、皮質下領、皮質、回、白質、および灰白質の少なくとも１つの範囲内である単一もしくは複数の脳部位へ刺激エネルギーを指向するように配置可能である複数の別々の非侵襲的刺激装置を含む、刺激装置システムと、
を含む、神経医療装置。
【請求項３】
前記脳刺激装置および認知刺激装置が、単一の一体化された装置を形成する、請求項１に記載の医療装置。
【請求項４】
前記単一の一体化された装置が、個人の耳、鼻、頭皮、および口の少なくとも１つと接続された少なくとも１つの電極を含む、請求項３に記載の医療装置。
【請求項５】
前記脳刺激装置が、前記少なくとも１つの脳領域または異なる脳領域へ単一もしくは複数の部位刺激を選択的に提供するように操作可能である少なくとも１つの侵襲的刺激装置を含む、請求項１に記載の医療装置。
【請求項６】
前記脳刺激装置が、電気、磁気、電磁気、および光電刺激の少なくとも１つを提供するように構成される、請求項１に記載の医療装置。
【請求項７】
前記脳刺激装置が、少なくとも１つの電磁気刺激装置および別の神経刺激源を含む、請求項１に記載の医療装置。
【請求項８】
前記アナライザーシステムおよび前記刺激装置システムをインターフェイス接続して、前記脳刺激装置および前記認知刺激装置の少なくとも１つを操作するコントローラーをさらに含む、請求項１に記載の医療装置。
【請求項９】
前記アナライザーシステムと操作可能に接続された治療モジュールであって、前記治療モジュールは、前記結果値に応じて前記刺激装置システムへデータを出力するよう構成される、治療モジュールと；
前記脳領域に細胞置換療法、細胞再生療法、および細胞成長の少なくとも１つを含む治療を施すように構成されるインビボ刺激装置と、
をさらに含む、請求項１に記載の医療装置。
【請求項１０】
前記刺激装置が、アルツハイマー病、認知症、自閉症スペクトラム障害、軽度認知障害、記憶喪失、老化、ＡＤＨＤ、パーキンソン病、うつ病、耽溺、薬物乱用、統合失調症、双極性障害、記憶向上（ｍｅｍｏｒｙ  ｅｎｈａｎｃｅｍｅｎｔ）、知能向上（ｉｎｔｅｌｌｉｇｅｎｃｅ  ｅｎｈａｎｃｅｍｅｎｔ）、集中向上、幸福感または気分の向上、自尊心向上、言語能力（ｌａｎｇｕａｇｅ  ｃａｐａｂｉｌｉｔｉｅｓ）、発語技能（ｖｅｒｂａｌ  ｓｋｉｌｌｓ）、語彙技能、発音技能（ａｒｔｉｃｕｌａｔｉｏｎ  ｓｋｉｌｌｓ）、他我（ａｌｔｅｒｎｅｓｓ）、専念（ｆｏｃｕｓ）、リラクゼーション、知覚技能、思考、分析技能、実行機能、睡眠向上、運動技能、協調技能、スポーツ技能、音楽技能、対人技能（ｉｎｔｅｒ−ｐｅｒｓｏｎａｌ  ｓｋｉｌｌｓ）、社会生活技能（ｓｏｃｉａｌ  ｓｋｉｌｌｓ）、および感情技能（ａｆｆｅｃｔｉｖｅ  ｓｋｉｌｌｓ）、と関連付けられる脳領域における単一もしくは複数の脳部位に刺激エネルギーを指向させるよう配置可能である、請求項１に記載の医療装置。
【請求項１１】
前記刺激装置が、アルツハイマー病と関連付けられる脳領域における単一もしくは複数の脳部位に刺激エネルギーを指向させるよう配置可能である、請求項１０に記載の医療装置。
【請求項１２】
脳に関連する状態の治療のため、または個人の認知機能の向上のための医療装置であって：
位置決定された脳領域（ｌｏｃａｌｉｚｅｄ  ｂｒａｉｎ  ｒｅｇｉｏｎ）を少なくとも選択的および非侵襲的に刺激するように構成され、ここで、前記位置決定された脳領域は、前記脳に関連する状態または前記認知機能と関連付けられる、少なくとも１つ脳刺激装置；ならびに、前記位置決定された脳領域と関連付けられる少なくとも１つの認知的特徴を選択的に刺激するよう構成される少なくとも１つの認知刺激装置；ならびに、
前記位置決定された脳領域に細胞置換療法、細胞再生療法、および細胞成長の少なくとも１つを含む治療を施すように構成されるインビボ刺激装置、
を含む、刺激装置システム、
を含む、医療装置。
【請求項１３】
脳アナライザーおよび認知アナライザーの少なくとも１つを含むアナライザーシステムであって、前記アナライザーシステムは、前記脳に関連する状態の少なくとも１つの特性を測定して測定された特性を得るように操作可能であり、前記測定された特性は、少なくとも１つの脳領域および少なくとも１つの認知的特徴の少なくとも１つに関連しており、ここで、前記アナライザーシステムは、個人の健康グループもしくは疾患グループの少なくとも１つの脳領域または少なくとも１つ認知的特徴からの基準値の算出も行い、前記アナライザーシステムは、前記測定された特性を前記基準値と比較し、前記刺激装置システムへ結果値を提供する、アナライザーシステムと；
前記アナライザーシステムおよび前記刺激装置システムをインターフェイス接続し、前記脳刺激装置および前記認知刺激装置の少なくとも１つを操作する、コントローラーと、
をさらに含む、請求項１２に記載の医療装置。
【請求項１４】
前記脳刺激装置システムがヘルメットである、請求項１２に記載の医療装置。
【請求項１５】
脳アナライザーおよび認知アナライザーの少なくとも１つを含むアナライザーシステムであって、前記アナライザーシステムは、個人の状態の少なくとも１つの特性を測定して測定された特性を得るように操作可能であり、前記測定された特性は、少なくとも１つの脳領域および少なくとも１つの認知的特徴の少なくとも１つに関連しており、ここで、前記アナライザーシステムは、個人の健康グループもしくは疾患グループの少なくとも１つの脳領域または少なくとも１つ認知的特徴からの基準値の算出も行い、前記アナライザーシステムは、前記測定された特性を前記基準値と比較し、結果値を提供する、アナライザーシステムと；
前記アナライザーシステムと操作可能に接続された治療モジュールであって、前記治療モジュールは、前記結果値に応じてデータを出力するよう構成される、治療モジュールと；
興奮性もしくは阻害性刺激を放出するように操作可能であり、前記治療モジュールからデータを受けて、前記少なくとも１つの脳領域を刺激するようにエネルギー放出刺激装置を配置するように構成される第一の刺激装置と；
前記第一の刺激装置に付随する第二の刺激装置であって、前記第二の刺激装置は、前記個人の前記少なくとも１つの認知的特徴を活性化するように構成される、第二の刺激装置と、
を含む医療装置。
【請求項１６】
前記第一の刺激装置が、少なくとも１つの非侵襲的脳刺激装置および少なくとも１つの侵襲的脳刺激装置を含み、ここで、前記少なくとも１つの非侵襲的脳刺激装置および前記少なくとも１つの侵襲的脳刺激装置は、前記少なくとも１つの脳領域を選択的に刺激するように構成される、請求項１５に記載の医療装置。
【請求項１７】
前記非侵襲的脳刺激装置が、電気、磁気、電磁気、および光電電極の少なくとも１つを含む、請求項１５に記載の医療装置。
【請求項１８】
前記第一の刺激装置が、前記少なくとも１つの脳領域を選択的に刺激するように構成される少なくとも１つの侵襲的脳刺激装置を含む、請求項１５に記載の医療装置。
【請求項１９】
前記第二の刺激装置が、前記認知的特徴に対して適切な少なくとも１つの認知刺激を提供するよう構成される、請求項１５に記載の医療装置。
【請求項２０】
前記第一の刺激装置が、非侵襲的刺激エネルギーを提供する、請求項１５に記載の医療装置。
【請求項２１】
前記第一の刺激装置および前記第二の刺激装置の少なくとも１つへ、前記第一および第二の刺激装置からの刺激に対する反応に基づいてフィードバックを提供するよう構成される評価装置をさらに含む、請求項１５に記載の医療装置。
【請求項２２】
前記結果値に応じて前記第一および第二の刺激装置を操作するように構成されるコントローラーをさらに含む、請求項１５に記載の医療装置。
【請求項２３】
コンピュータおよび所望される場合は含んでよいコントロールモジュールと；
所望される場合はＴＭＳ刺激装置を含んでよいユーザーエネルギー刺激モジュールと；
認知刺激モジュールと；
疾患脳位置決定モジュールと；
所望される場合は含んでよい認知試験モジュールと、
を含む、神経の評価および治療のためのシステム。
【請求項２４】
認知進行モニタリングモジュールをさらに含む、請求項２３に記載のシステム。
【請求項２５】
前記コンピュータとインターフェイス接続された付随する比較基準データベースモジュールをさらに含む、請求項２３に記載のシステム。
【請求項２６】
ユーザーアクセスを持つコンピュータシステムと；
刺激を適用するための同期された磁気および認知トレーニング刺激装置システムと；
治療セッションおよび刺激の適用の順番ならびに状態を管理するための実行制御モジュール（Ｅｘｅｃｕｔｉｖｅ  Ｃｏｎｔｒｏｌ  Ｍｏｄｕｌｅ）と；
患者の反応に基づく意思決定システム（ｄｅｃｉｓｉｏｎ  ｍａｋｉｎｇ  ｓｙｓｔｅｍ）であって、その反応に基づいて判定を行い、オペレータを変更するかまたはスクリプトを改変して認知トレーニングを最適化する、意思決定システムと；
アルツハイマー病の存在を判定するためのＥＮＤモジュールと、
を含む、医学的治療装置。